(57)【要約】【課題】  電力ケーブルＰの締めすぎを防止する。【解決手段】  洞道壁面設置のＦＲＰトラフＡ内に複数の電力ケーブルＰを纏めて固定するクリート１０である。そのクリートの電力ケーブル挟持片１１と電力ケーブルＰ及び水冷管Ｓの間に支持ゴム１２を介在する。支持ゴムの電力ケーブル等との接触面に横断面三角形状の滑り止め用突条１４を複数設け、その２分割した両突条群の前記断面三角形状をその頂点が底辺の中点からそれぞれ反対方向に傾いたものとする。電力ケーブル等が移動しようとした際、頂点がずれて傾いた断面三角形状のそれぞれの突条群が有効な抵抗力を発揮してその移動を阻止する。挟持片１１と支持ゴム１２は凹凸１５、１６の嵌め合いにより相互に移動しにくい。支持ゴムは電力ケーブル等を有効に支持するため、両挟持片１１が当たったねじ止め状態でその電力ケーブル等が最適な状態で支持固定する。これにより、電力ケーブルの締めすぎがなくなる。【選択図】図１
2007259591.tif 000002
【特許請求の範囲】
【請求項１】
洞道壁面等に設置されるトラフ（Ａ）内に複数の電力ケーブル（Ｐ）を纏めて固定するクリート（１０）の、電力ケーブル挟持片（１１）と前記電力ケーブル（Ｐ）の間に介在される支持ゴム（１２）であって、前記電力ケーブル（Ｐ）との接触面に滑り止め用突起（１４）を設けた電力ケーブルクリート用支持ゴム。
【請求項２】
上記突起（１４）を上記電力ケーブル（Ｐ）の周方向に長い突条としたことを特徴とする請求項１に記載の電力ケーブルクリート用支持ゴム。
【請求項３】
上記突条（１４）を、その横断面を三角形状とするとともに上記電力ケーブル（Ｐ）の長さ方向に複数条設けて、その複数の突条（１４）を２つの群に分け、その両突条（１４）群の前記断面三角形状をその頂点が底辺の中点からそれぞれ反対方向に傾いたものとして異ならせたことを特徴とする請求項２に記載の電力ケーブルクリート用支持ゴム。
【請求項４】
上記電力ケーブル挟持片（１１）との接触面に、その電力ケーブル挟持片（１１）の接触面の凹部（１５）又は凸部に嵌る凸部（１６）又は凹部を設けたことを特徴とする請求項１乃至３のいずれかに記載の電力ケーブルクリート用支持ゴム。
【請求項５】
電力ケーブル（Ｐ）を挟持する対の挟持片（１１、１１）の間に電力ケーブル（Ｐ）を挟んでその対の挟持片（１１、１１）をねじ止めする電力ケーブルクリート（１０）において、前記電力ケーブル（Ｐ）と挟持片（１１）の間に請求項１乃至４のいずれかに記載の支持ゴム（１２）を介在し、前記対の挟持片（１１、１１）が当たったねじ止め状態で前記電力ケーブル（Ｐ）が支持固定されている繊維強化プラスチック製電力ケーブルクリート。
【発明の詳細な説明】
【技術分野】
【０００１】
この発明は、洞道壁面等に設置されるトラフ内に複数の電力ケーブルを纏めて固定するクリート、及びそのクリートの電力ケーブル挟持片と前記電力ケーブルの間に介在される支持ゴムに関する。
【背景技術】
【０００２】
この種の電力ケーブル固定用のクリートは、図１３に示すように、地下洞道壁面等に設置されるＦＲＰ（繊維強化プラスチック）トラフＡ内にケーブルＰの所要長さ、例えば３．５ｍ以下の間隔に設けられてケーブルＰを支持するものであり（図１参照）、対の挟持片１、１の間に弾性材からなる支持ゴム２を介在して電力ケーブルＰを挟み、その対の挟持片１、１をねじ止めした構成が一般的であり、その対の挟持片１、１の一方をＦＲＰトラフＡ内に固定する。そのとき、通常、その対の挟持片１，１による電力ケーブルＰの挟持を複数段に行われる（特許文献１参照）。
【特許文献１】特開２００４−１２０８３６号公報
【０００３】
このクリートにおいて、上記対の挟持片１、１のねじ止めは、その対の挟持片１、１の両端にボルト３を挿通して締結している（特許文献１参照）。
そのボルト３による締結時、十分な締結力を得るために、対の挟持片１、１のそのねじ込み部に隙間ｔを設けて、その締付け力が電力ケーブルＰ及び支持ゴム２に確実に及ぶようにしている。このため、その締結力は、５００ｋｇ-ｃｍにもなることがある。
一方、高電圧電力ケーブルＰには、ケーブル内部に絶縁油を封入した仕様のものがあり、このケーブルＰはその所定内圧が２〜５ｋｇ／ｃｍ２程度とされている。
【発明の開示】
【発明が解決しようとする課題】
【０００４】
このような実情の下、対の挟持片１、１を高トルク（必要以上のトルク）で締付けると、ケーブルＰに異常な内圧が発生し、絶縁油が漏洩する等の不具合が生じる場合があった。
その高トルクの締結による不都合をなくすため、上記ボルトによる締結をばねを介して行い、そのばねの緩衝により、高トルクの締結を防止した技術がある（特許文献１  図１参照）。
しかし、上記ばねによる緩衝は、その構造が繁雑となり、クリートのコスト上昇を招いている。
【０００５】
この発明は、上記ばねによる緩衝以外の手段により、ケーブルＰの締め過ぎを防止することを課題とする。
【課題を解決するための手段】
【０００６】
上記課題を達成するために、この発明は、まず、支持ゴムの電力ケーブルとの接触面に滑り止め用突起を設けたのである。
電力ケーブルの滑り止めが行われれば、支持ゴムによる電力ケーブルの支持力が増すため、ボルトによる締結力を抑えることができる（締結力を小さくしても良い）。
つぎに、この発明は、電力ケーブルを挟持する対の挟持片が当たったねじ止め状態（それ以上ねじ込めない状態）で、その電力ケーブルの最適な支持固定がされるようにしたのである。
その最適な支持固定度合は、対の挟持片の挟持力とボルトによる締付力とを実験などにより、適宜に選定して、その締付力によりその電力ケーブルが支障なく支持固定されるようにする。
【発明の効果】
【０００７】
この発明は、支持ゴムの支持力アップを図ると共に、対の挟持片を突き合わせて所要以上の締結力が働かないようにしたので、安価な構造でもって、ケーブルＰの締め過ぎを防止でき、例えば、ケーブル内部に絶縁油を封入した高電圧電力ケーブルでのその絶縁油の漏洩が生じることもなくなる。
【発明を実施するための最良の形態】
【０００８】
この発明の一実施形態としては、洞道壁面等に設置されるトラフ内に複数の電力ケーブルを纏めて固定するクリートの、電力ケーブル挟持片と前記電力ケーブルの間に介在される支持ゴムにおいて、その電力ケーブルとの接触面に滑り止め用突起を設けた構成を採用することができる。
その突起は、電力ケーブル接触面に粒状に配置してもよいが、電力ケーブルの周方向に長い突条とすることもできる。
【０００９】
また、その突条の横断面は、三角形状とすることができ、そのとき、その突条を電力ケーブルの長さ方向に複数条設けて、その複数の突条を２つの群に分け、その両突条群の前記断面三角形状をその頂点が底辺の中点からそれぞれ反対方向に傾いたものとして異ならせたものとすると良い。
このようにすれば、その傾斜の異なるそれぞれの突条が、電力ケーブルが前記反対方向に対してその反対方向に移動しようとした際、頂点が底辺の中点からずれて傾いた断面三角形状のそれぞれの突条群がその移動方向に有効な抵抗力を発揮してその移動を阻止する。
なお、突起群の二分けは、電力ケーブルとの接触面のその電力ケーブルの長さ方向の中心線を境にして分けなくても、断面三角形状の異なる突条が接触面の全域に散らばっていてもよく、また、電力ケーブルの長さ方向に、一方向に傾く突起と他方に傾く突起を交互に配置するようにすることもできる。
【００１０】
支持ゴムの上記電力ケーブル挟持片との接触面とその電力ケーブル挟持片の支持ゴムとの接触面には、相互に嵌り合う凹凸を設け、その凹凸の嵌り合いにより、挟持片に対し支持ゴムが移動し難いようにすることが好ましい。
【００１１】
これらの支持ゴムは、その突起により電力ケーブルの支持力が増すため、電力ケーブルクリートの電力ケーブルと挟持片の間に介在し、クリートの対の挟持片が当たったねじ止め状態でその電力ケーブルが最適な状態で支持固定されている構成とすることができる。
このとき、クリートをＦＲＰ製とすれば、従来のアルミニウム製に比べて安価であり、また、軽量等から取り扱いも容易である。
【実施例】
【００１２】
図１〜図２０に一実施例を示し、この実施例は、洞道壁面に設置されるＦＲＰトラフＡ内に電力ケーブルＰ及び通信ケーブルＴを配設したものであり、電力ケーブルＰはＦＲＰ製クリート１０を介してそのトラフＡの底壁に固定され、通信ケーブルＴ等は棚に載置されて適宜間隔で適宜な手段によって固定されている。上下の電力ケーブルＰの間には水冷管Ｓが設けられ、この水冷管Ｓに水を流すことにより、電力ケーブルＰを冷却してその昇温を抑制するが、この水冷管Ｓの数は任意であり、例えば、図１の左右の一方のみ、全く設けない（省略する）等とすることができる。
【００１３】
この実施例のクリート１０は、電力ケーブルＰ及び水冷管Ｓを３段にして支持固定するものであり、ＦＲＰ製の４個の挟持片１１ａ、１１ｂ、１１ｃ、１１ｄ（総称符号：１１）からなり、その上下の対の挟持片１１ａと１１ｂ、１１ｂと１１ｃ、１１ｃと１１ｄにより、電力ケーブルＰ及び水冷管Ｓを挟持固定する。この実施例のクリート１０には、その各挟持片１１と電力ケーブルＰ及び水冷管Ｓの間に支持ゴム１２が介在され、その上下の対となる挟持片１１、１１はボルト１３により固定される（一体化される）。
【００１４】
支持ゴム１２は、電力ケーブルＰ及び水冷管Ｓの大小に応じて大小２種類のもの（１２ａ、１２ｂ）であり、その両者１２ａ、１２ｂも、図８、図９に示すように、円弧状をして、その電力ケーブルＰ及び水冷管Ｓとの接触面（内側面）に滑り止め用突起１４を設けている。この支持ゴム１２は、同一形状のものを上下に対にして電力ケーブルＰ及び水冷管Ｓに当てがう（図２参照）。水冷管Ｓへの支持ゴム１２は上下のどちらか一方でも良い。
突起１４は、電力ケーブルＰ及び水冷管Ｓの周方向に長い突条となって、その横断面が三角形状となっているとともに電力ケーブルＰ及び水冷管Ｓの長さ方向に複数条設けられている。
その複数の突条１４は、電力ケーブルＰ及び水冷管Ｓとの接触面のその電力ケーブルＰ及び水冷管Ｓの長さ方向の中心線を境にして異なる態様に２分類されており、その２分類された両突条１４群は、上記断面三角形状をその頂点が底辺の中点からそれぞれ反対方向に傾いた異なるものとなっている（図８（ｅ）、図９（ｅ）参照）。
【００１５】
また、支持ゴム１２の電力ケーブル挟持片１１との接触面には、その電力ケーブル挟持片１１の凹部１５に嵌る凸部１６が形成されており、この凸部１６が凹部１５に嵌ることにより、支持ゴム１２が挟持片１１に対し移動しなくなる。凹部１５を支持ゴム１２側、凸部１６を挟持片１１側に設けることもできる。
【００１６】
クリート１０は、電力ケーブルＰの長さ方向に適宜間隔（例えば、従来と同様に、３．５ｍ以下の間隔）に設けて、電力ケーブルＰ及び水冷管ＳをトラフＡに支持固定し、その各クリート１０の間の各電力ケーブルＰ及び水冷管Ｓの間にはＦＲＰ製の中間スペーサ２０（２０ａ、２０ｂ、２０ｃ）を介設する。その中間スペーサ２０は、図１０〜図１２に示す３種類のものからなる。
【００１７】
そのクリート１０の各挟持片１１をボルト１３により締め付ける際、上下対の挟持片１１、１１が当たったねじ止め状態（図２の状態）で、その電力ケーブルＰが最適な状態で支持固定される。このため、電力ケーブルＰ及び水冷管Ｓが必要以上に締付けられることもなく（過大なトルクがかかることもなく）、その電力ケーブルＰが高電圧のもので、絶縁油が封入されてあっても、その絶縁油が漏洩することもない。
また、クリート１０は、ＦＲＰ製であって、従来のアルミニウム製に比べて安価であり、さらに、軽量等から取り扱いも容易である。
トラフＡ内にはコンクリートを充填しても良い。
【図面の簡単な説明】
【００１８】
【図１】一実施例の一部切り欠き部分斜視図
【図２】同実施例のクリート部を示し、（ａ）は切断正面図、（ｂ）は同側面図
【図３】同実施例の中間スペーサ部を示し、（ａ）は切断正面図、（ｂ）は同側面図
【図４】同クリートを成す一挟持片を示し、（ａ）は斜視図、（ｂ）は平面図、（ｃ）は正面図、（ｄ）は底面図、（ｅ）は右側面図
【図５】同クリートを成す他の挟持片を示し、（ａ）は斜視図、（ｂ）は平面図、（ｃ）は正面図、（ｄ）は底面図、（ｅ）は右側面図
【図６】同クリートを成す他の挟持片を示し、（ａ）は斜視図、（ｂ）は平面図、（ｃ）は正面図、（ｄ）は底面図、（ｅ）は右側面図
【図７】同クリートを成す他の挟持片を示し、（ａ）は斜視図、（ｂ）は平面図、（ｃ）は正面図、（ｄ）は底面図、（ｅ）は右側面図
【図８】同クリートに介在される支持ゴムの一例を示し、（ａ）は上側からの斜視図、（ｂ）は下側からの斜視図、（ｃ）は正面図、（ｄ）は右側面図  （ｅ）は拡大切断側面図
【図９】同クリートに介在される支持ゴムの他例を示し、（ａ）は上側からの斜視図、（ｂ）は下側からの斜視図、（ｃ）は正面図、（ｄ）は右側面図、（ｅ）は拡大切断側面図
【図１０】同中間スペーサを成す一部材を示し、（ａ）は斜視図、（ｂ）は正面図、（ｃ）は下面図
【図１１】同中間スペーサを成す他の部材を示し、（ａ）は斜視図、（ｂ）は正面図、（ｃ）は下面図
【図１２】同中間スペーサを成す他の部材を示し、（ａ）は平面図、（ｂ）は正面図、（ｃ）は右側面図
【図１３】従来例の切断正面図
【符号の説明】
【００１９】
Ａ  ＦＲＰトラフ
Ｐ  電力ケーブル
Ｔ  通信ケーブル
Ｓ  水冷管
１０  クリート
１１、１１ａ、１１ｂ、１１ｃ、１１ｄ  クリートを成す挟持片
１２、１２ａ、１２ｂ  支持ゴム
１３  ボルト
１４  突起
１５  凹部
１６  凸部
【図１】
2007259591.tif 000003
【図２】
2007259591.tif 000004
【図３】
2007259591.tif 000005
【図４】
2007259591.tif 000006
【図５】
2007259591.tif 000007
【図６】
2007259591.tif 000008
【図７】
2007259591.tif 000009
【図８】
2007259591.tif 000010
【図９】
2007259591.tif 000011
【図１０】
2007259591.tif 000012
【図１１】
2007259591.tif 000013
【図１２】
2007259591.tif 000014
【図１３】
2007259591.tif 000015